(57)【要約】【課題】  小型で、全ズーム域において高い光学性能を有するズームレンズ及び撮像装置を実現すること。【解決手段】  本発明のズームレンズは、物体側から像側へ順に配置された、負の屈折力の第１レンズ群、正の屈折力の第２レンズ群、負の屈折力の第３レンズ群、負の屈折力の第４レンズ群を有し、ズーミングに際して隣り合うレンズ群の間隔が変化するズームレンズであって、前記第３レンズ群の焦点距離をｆ３、前記第４レンズ群の焦点距離をｆ４とするとき、  ０．８０＜ｆ３／ｆ４＜５．００の条件式を満たすことを特徴とする。【選択図】  図１
2019066654.tif 000002
【特許請求の範囲】
【請求項１】
物体側から像側へ順に配置された、負の屈折力の第１レンズ群、正の屈折力の第２レンズ群、負の屈折力の第３レンズ群、負の屈折力の第４レンズ群を有し、ズーミングに際して隣り合うレンズ群の間隔が変化するズームレンズであって、
前記第３レンズ群の焦点距離をｆ３、前記第４レンズ群の焦点距離をｆ４とするとき、
０．８０＜ｆ３／ｆ４＜５．００
の条件式を満たすことを特徴とするズームレンズ。
【請求項２】
前記第２レンズ群の焦点距離をｆ２とするとき、
０．３０＜ｆ２／｜ｆ４｜＜３．００
の条件式を満たすことを特徴とする請求項１に記載のズームレンズ。
【請求項３】
広角端における前記ズームレンズの焦点距離をｆｗ、広角端から望遠端へのズーミングにおける前記第２レンズ群の移動量をｍ２、レンズ群の移動量の符号は、広角端に比べて望遠端において像側に位置するときを正、広角端に比べて望遠端において物体側に位置するときを負とするとき、
０．５０＜｜ｍ２｜／ｆｗ＜１．４０
の条件式を満たすことを特徴とする請求項１又は２に記載のズームレンズ。
【請求項４】
前記第１レンズ群の焦点距離をｆ１、前記第２レンズ群の焦点距離をｆ２とするとき、
０．５０＜｜ｆ１｜／ｆ２＜２．００
の条件式を満たすことを特徴とする請求項１乃至３のいずれか１項に記載のズームレンズ。
【請求項５】
広角端における前記ズームレンズの焦点距離をｆｗ、望遠端における前記ズームレンズの焦点距離をｆｔとするとき、
ｆｔ／ｆｗ＞１．８０
の条件式を満たすことを特徴とする請求項１乃至４のいずれか１項に記載のズームレンズ。
【請求項６】
広角端における前記ズームレンズの焦点距離をｆｗとするとき、
１．００＜｜ｆ４｜／ｆｗ＜４．５０
の条件式を満たすことを特徴とする請求項１乃至５のいずれか１項に記載のズームレンズ。
【請求項７】
前記第４レンズ群は、物体側に凹面を向けた負レンズを有することを特徴とする請求項１乃至６のいずれか１項に記載のズームレンズ。
【請求項８】
前記負レンズは、中心から周辺にかけて負の屈折力が強くなる非球面形状を有することを特徴とする請求項７に記載のズームレンズ。
【請求項９】
前記第３レンズ群は、正レンズと負レンズを少なくとも１枚ずつ有することを特徴とする、請求項１乃至８のいずれか１項に記載のズームレンズ。
【請求項１０】
無限遠から至近距離へのフォーカシングに際し、前記第３レンズ群が像側へ移動することを特徴とする請求項１乃至９のいずれか１項に記載のズームレンズ。
【請求項１１】
無限遠から至近距離へのフォーカシングに際し、前記第４レンズ群が像側へ移動することを特徴とする請求項１０に記載のズームレンズ。
【請求項１２】
前記ズームレンズは、負の屈折力の第１レンズ群、正の屈折力の第２レンズ群、負の屈折力の第３レンズ群、負の屈折力の第４レンズ群からなることを特徴とする請求項１乃至１１のいずれか１項に記載のズームレンズ。
【請求項１３】
前記ズームレンズは、負の屈折力の第１レンズ群、正の屈折力の第２レンズ群、負の屈折力の第３レンズ群、負の屈折力の第４レンズ群、正の屈折力の第５レンズ群からなることを特徴とする請求項１乃至１０のいずれか１項に記載のズームレンズ。
【請求項１４】
前記ズームレンズは、負の屈折力の第１レンズ群、正の屈折力の第２レンズ群、負の屈折力の第３レンズ群、負の屈折力の第４レンズ群、正の屈折力の第５レンズ群、正の屈折力の第６レンズ群からなることを特徴とする請求項１乃至１０のいずれか１項に記載のズームレンズ。
【請求項１５】
請求項１乃至１４のいずれか１項に記載のズームレンズと、
前記ズームレンズによって形成された像を受光する撮像素子とを有することを特徴とする撮像装置。
【発明の詳細な説明】
【技術分野】
【０００１】
本発明は、ズームレンズ及び撮像装置に関する。
【背景技術】
【０００２】
近年、レンズ全長が短く、小型なズームレンズが要求されている。
【０００３】
特許文献１には、物体側から像側へ順に配置された、負の屈折力の第１レンズ群、正の屈折力の第２レンズ群、負の屈折力の第３レンズ群、負の屈折力の第４レンズ群からなり、第３レンズ群でフォーカシングを行う広角ズームレンズが開示されている。
【先行技術文献】
【特許文献】
【０００４】
【特許文献１】特開２０１６−１３３７６４号公報
【発明の概要】
【発明が解決しようとする課題】
【０００５】
特許文献１に記載のレンズ構成のズームレンズをさらに小型化する場合、ズーミングに際しての歪曲収差の変動が大きくなる場合がある。そこで、小型で、収差変動も少ないズームレンズを実現するためには、各レンズ群、特に第４レンズ群のパワー配置をより適切に設定することが望まれる。
【０００６】
そこで本発明は、小型で、全ズーム域において高い光学性能を有するズームレンズ及び撮像装置を提供することを目的とする。
【課題を解決するための手段】
【０００７】
本発明のズームレンズは、物体側から像側へ順に配置された、負の屈折力の第１レンズ群、正の屈折力の第２レンズ群、負の屈折力の第３レンズ群、負の屈折力の第４レンズ群を有し、ズーミングに際して隣り合うレンズ群の間隔が変化するズームレンズであって、前記第３レンズ群の焦点距離をｆ３、前記第４レンズ群の焦点距離をｆ４とするとき、
０．８０＜ｆ３／ｆ４＜５．００
の条件式を満たすことを特徴とする。
【発明の効果】
【０００８】
本発明によれば、小型で、全ズーム域において高い光学性能を有するズームレンズ及び撮像装置を実現することができる。
【図面の簡単な説明】
【０００９】
【図１】実施例１のズームレンズの断面図である。
【図２】実施例１のズームレンズの収差図である。
【図３】実施例２のズームレンズの断面図である。
【図４】実施例２のズームレンズの収差図である。
【図５】実施例３のズームレンズの断面図である。
【図６】実施例３のズームレンズの収差図である。
【図７】実施例４のズームレンズの断面図である。
【図８】実施例４のズームレンズの収差図である。
【図９】実施例５のズームレンズの断面図である。
【図１０】実施例５のズームレンズの収差図である。
【図１１】実施例６のズームレンズの断面図である。
【図１２】実施例６のズームレンズの収差図である。
【図１３】撮像装置の構成を示す図である。
【発明を実施するための形態】
【００１０】
以下、本発明の実施例に係るズームレンズ及び撮像装置について、添付の図面に基づいて詳細に説明する。
【００１１】
［ズームレンズの実施例］
各実施例のズームレンズは、ビデオカメラやデジタルカメラ、銀塩フィルムカメラ、テレビカメラ等の撮像装置に用いられる撮影光学系である。図１、３、５、７、９、１１に示すズームレンズの断面図において、左方が物体側（前方）であり、右方が像側（後方）である。また各断面図において、ｉを物体側から像側へのレンズ群の順番とすると、Ｌｉは第ｉレンズ群を示す。また、開口絞りＳＰは、開放Ｆナンバー（Ｆｎｏ）の光束を決定（制限）し、可変絞りＳＳＰは、ズーミングに際して口径が変化する。
【００１２】
ビデオカメラやデジタルカメラなどの撮像装置に各実施例のズームレンズを使用する場合は、像面ＩＰは、ＣＣＤセンサまたはＣＭＯＳセンサ等の固体撮像素子（光電変換素子）に相当する。銀塩フィルムカメラの撮像装置に各実施例のズームレンズを使用する場合は、像面ＩＰはフィルム面に相当する。
【００１３】
広角端から望遠端へのズーミングに際して、各レンズ群は、図中の実線矢印に示すように移動する。無限遠から至近距離へのフォーカシングに際して、フォーカスレンズ群は、図中の破線矢印に示すように移動する。
【００１４】
球面収差図においてＦｎｏはＦナンバーであり、実線はｄ線（波長５８７．６ｎｍ）、二点鎖線はｇ線（波長４３５．８ｎｍ）に対する球面収差を示している。非点収差図において実線Ｓはサジタル像面、破線Ｍはメリディオナル像面である。歪曲収差はｄ線について示している。色収差図はｇ線における色収差を示している。ωは半画角（角度）である。
【００１５】
「広角端」と「望遠端」は、それぞれ、各レンズ群が機構的に移動可能な範囲の両端に位置したときのズーム位置をいう。
【００１６】
本発明のズームレンズは、物体側から像側へ順に配置された、負の屈折力の第１レンズ群、正の屈折力の第２レンズ群、負の屈折力の第３レンズ群、負の屈折力の第４レンズ群を有する。そして、ズーミングに際して、隣り合うレンズ群の間隔が変化する。各レンズ群は、１枚以上のレンズを有していればよく、複数枚のレンズを有していなくてもよい。
【００１７】
広角端から望遠端へのズーミングに際して、第１レンズ群と第２レンズ群の間隔が狭まり、第２レンズ群と第３レンズ群の間隔が広がることにより、変倍作用が生じる。また、ズーミングに際して第３レンズ群と第４レンズ群の間隔が変化することにより、広角端から望遠端にかけて非点収差が補正される。
【００１８】
各実施例のズームレンズは条件式（１）を満たす。
０．８０＜ｆ３／ｆ４＜５．００    ・・・（１）
【００１９】
ただし、第３レンズ群の焦点距離をｆ３、第４レンズ群の焦点距離をｆ４とする。
【００２０】
条件式（１）は、第３レンズ群の焦点距離と第４レンズ群の焦点距離の比に関する。一般に、広角ズームレンズや、バックフォーカスの短いズームレンズでは、広角端から望遠端へのズーミングに際して、第４レンズ群に入射する軸外光線の入射高さの変動が大きくなる。また、第４レンズ群の屈折力が大きくなるほど入射高さの変動に応じた像面湾曲や非点収差の変動が大きくなる。したがって、条件式（１）の上限値を上回って第４レンズ群の焦点距離が短くなると、すなわち第４レンズ群の屈折力が大きくなると、像面湾曲および非点収差の変動が大きくなり、ズーム全域で高い光学性能を有することが困難になるため好ましくない。また、条件式（１）の下限値を下回って第４レンズ群の焦点距離が長くなると、ズームレンズの全長が長くなってしまうため、ズームレンズの小型化が困難になるため好ましくない。
【００２１】
したがって、小型で、全ズーム域において高い光学性能を得られる、ズームレンズを実現できる。
【００２２】
さらに、ズームレンズは条件式（２）〜（６）のうち少なくとも１つを満足することが好ましい。
０．３０＜ｆ２／｜ｆ４｜＜３．００    ・・・（２）
０．５０＜｜ｍ２｜／ｆｗ＜１．４０    ・・・（３）
０．５０＜｜ｆ１｜／ｆ２＜２．００    ・・・（４）
ｆｔ／ｆｗ＞１．８０                  ・・・（５）
１．００＜｜ｆ４｜／ｆｗ＜４．５０    ・・・（６）
【００２３】
ただし、第１レンズ群の焦点距離をｆ１、第２レンズ群の焦点距離をｆ２、広角端から望遠端へのズーミングにおける第２レンズ群の移動量をｍ２、ズームレンズの広角端における焦点距離をｆｗ、ズームレンズの望遠端における焦点距離をｆｔとする。なお、レンズ群の移動量とは、広角端におけるレンズ群の光軸上の位置と望遠端におけるレンズ群の光軸上の位置との差をいう。レンズ群の移動量の符号は、広角端に比べて望遠端において像側に位置するときを正、広角端に比べて望遠端において物体側に位置するときを負とする。
【００２４】
次に、条件式（２）〜（６）の技術的意味について説明する。
【００２５】
条件式（２）は、第２レンズ群の焦点距離と第４レンズ群の焦点距離との比に関する。条件式（２）の下限値を下回って第２レンズ群の焦点距離が第４レンズ群の焦点距離に対して短くなると、ズーム全域での球面収差およびコマ収差の変動が大きくなるため好ましくない。また、条件式（２）の上限値を下回って、第２レンズ群の焦点距離が第４レンズ群の焦点距離に対して長くなると、所定の変倍をするために必要な第２レンズ群の移動量が大きくなる。これにより光学系の小型化が困難になるため好ましくない。
【００２６】
条件式（３）は、広角端から望遠端へのズーミングにおける第２レンズ群の移動量に関する。条件式（３）の下限値を下回って第２レンズ群の移動量が小さくなると、軸外光線が低い位置を通過する第２レンズ群の変倍分担が小さくなる。これにより、第２レンズ群よりも像側に配置されたレンズ群の変倍分担が大きくなると、当該レンズ群の変倍負担が小さい場合に比べて、ズーミングに際しての歪曲収差や像面湾曲の変動が大きくなり好ましくない。条件式（３）の上限値を上回って第２レンズ群の移動量が大きくなると、広角端において第１レンズ群と第２レンズ群の間隔を大きく確保する必要がある。これにより、光学系の小型化が困難になるため好ましくない。
【００２７】
条件式（４）は、第１レンズ群の焦点距離と第２レンズ群の焦点距離との比に関する。条件式（４）の下限値を下回って、第１レンズ群の焦点距離が第２レンズ群の焦点距離に対して短くなると、ズームレンズが小型になるものの、広角端における歪曲収差および非点収差が大きくなり好ましくない。条件式（４）の上限値を上回って第１レンズ群の焦点距離が第２レンズ群の焦点距離に対して長くなると、レンズ全長（最も物体側のレンズの物体側の面から像面までの距離）の短縮および第１レンズ群の小径化が困難になるため好ましくない。
【００２８】
条件式（５）は、各実施例のズームレンズの変倍比に関する。条件式（５）の下限を下回ると、ズーム比が小さくなりすぎて、ズームレンズとしての機能を発揮できず好ましくない。
【００２９】
条件式（６）は、第４レンズ群の焦点距離とズームレンズの広角端における焦点距離との比に関する。条件式（６）の下限値を下回って第４レンズ群の焦点距離がズームレンズの広角端における焦点距離に対して短くなると、ズーミングに際して軸外収差の変動の抑制が大きくなり好ましくない。条件式（６）の上限値を上回って第４レンズ群の焦点距離がズームレンズの広角端における焦点距離よりも長くなると、光学系の小型化が困難になるため好ましくない。
【００３０】
また、第４レンズ群は、物体側に凹面を向けた負レンズを有することが好ましい。物体側に凹面があることにより、広角端において生じる像面湾曲と、望遠端において第２レンズ群より生じる球面収差とを補正をすることができる。
【００３１】
また、第４レンズ群の、物体側に凹面を向けた負レンズは、中心から周辺にかけて負の屈折力が強くなるような非球面形状を有することが好ましい。非球面形状を有することにより、球面形状を有する場合に比べて、広角端において生じる像面湾曲および非点収差を補正しやすくなる。
【００３２】
また、無限遠から至近距離へのフォーカシングに際して移動するフォーカスレンズ群は、比較的レンズの径が小さく且つレンズ枚数が少ない、第３レンズ群であることが好ましい。第３レンズ群でフォーカシングを行う場合は、他のレンズ群でフォーカシングを行う場合に比べて、フォーカスレンズ群を保持する鏡筒およびフォーカスレンズを駆動するための機構を小型化でき、ズームレンズの全系を小型化できる。さらに、フォーカスレンズ群は、正レンズおよび負レンズを少なくとも１枚ずつ有することが好ましい。正レンズおよび負レンズのいずれかのみで構成してしまうと、フォーカシング時の色収差変動を抑えることが困難になるため好ましくない。
【００３３】
さらに、条件式（１）〜（６）の数値範囲を次のように設定することが好ましい。
０．８５＜ｆ３／ｆ４＜４．５０        ・・・（１ａ）
０．３３＜ｆ２／｜ｆ４｜＜２．００    ・・・（２ａ）
０．６０＜｜ｍ２｜／ｆｗ＜１．３６    ・・・（３ａ）
０．６０＜｜ｆ１｜／ｆ２＜１．８０    ・・・（４ａ）
ｆｔ／ｆｗ＞１．９０                  ・・・（５ａ）
１．５０＜｜ｆ４｜／ｆｗ＜４．２０    ・・・（６ａ）
【００３４】
さらに、条件式（１ａ）〜（６ａ）の数値範囲を次のように設定することが好ましい。
０．９０＜ｆ３／ｆ４＜４．００        ・・・（１ｂ）
０．３５＜ｆ２／｜ｆ４｜＜１．００    ・・・（２ｂ）
０．７０＜｜ｍ２｜／ｆｗ＜１．３２    ・・・（３ｂ）
０．７０＜｜ｆ１｜／ｆ２＜１．６０    ・・・（４ｂ）
ｆｔ／ｆｗ＞２．００                  ・・・（５ｂ）
２．００＜｜ｆ４｜／ｆｗ＜４．００    ・・・（６ｂ）
【００３５】
［実施例１］
図１（ａ）と図１（ｂ）は、それぞれ、実施例１のズームレンズの広角端と望遠端における断面図である。図２（ａ）と図２（ｂ）は、それぞれ、実施例１のズームレンズの広角端と望遠端における収差図である。
【００３６】
実施例１のズームレンズは、物体側から像側へ順に配置された、負の屈折力の第１レンズ群Ｌ１、正の屈折力の第２レンズ群Ｌ２、負の屈折力の第３レンズ群Ｌ３、負の屈折力の第４レンズ群Ｌ４からなる。
【００３７】
第２レンズ群Ｌ２は、絞りＳＰおよび可変絞りＳＳＰを含む。第３レンズ群Ｌ３は、無限遠から至近距離へのフォーカシングに際して像側へ移動するフォーカスレンズ群である。第３レンズ群Ｌ３は、正レンズと、該正レンズの像側に配置された負レンズとの接合レンズからなる。第４レンズ群Ｌ４は、最も物体側に配置された、物体側に凹面を向け且つ像側に凸面を向けた負レンズＮＬを有する。負レンズＮＬは、中心から周辺にかけて負の屈折力が強くなるような非球面形状を有する。
【００３８】
広角端から望遠端へのズーミングに際して、第１レンズ群Ｌ１は像側へ移動し、第２レンズ群Ｌ２、第３レンズ群Ｌ３、および第４レンズ群Ｌ４は物体側へ移動する。また、広角端から望遠端へのズーミングに際して、第１レンズ群Ｌ１と第２レンズ群Ｌ２の間隔は狭まり、第２レンズ群Ｌ２と第３レンズ群Ｌ３の間隔は広がり、第３レンズ群Ｌ３と第４レンズ群Ｌ４の間隔は狭まる。
【００３９】
［実施例２］
図３（ａ）と図３（ｂ）は、それぞれ、実施例２のズームレンズの広角端と望遠端における断面図である。図４（ａ）と図４（ｂ）は、ぞれぞれ、実施例２のズームレンズの広角端と望遠端における収差図である。
【００４０】
実施例２のズームレンズは、物体側から像側へ順に配置された、負の屈折力の第１レンズ群Ｌ１、正の屈折力の第２レンズ群Ｌ２、負の屈折力の第３レンズ群Ｌ３、負の屈折力の第４レンズ群Ｌ４からなる。
【００４１】
第２レンズ群Ｌ２は、絞りＳＰおよび可変絞りＳＳＰを含む。第３レンズ群Ｌ３は、無限遠から至近距離へのフォーカシングに際して像側へ移動するフォーカスレンズ群である。第３レンズ群Ｌ３は、正レンズと、該正レンズの像側に配置された負レンズとの接合レンズからなる。第４レンズ群Ｌ４は、最も物体側に配置された、物体側に凹面を向け且つ像側に凸面を向けた負レンズＮＬを有する。負レンズＮＬは、中心から周辺にかけて負の屈折力が強くなるような非球面形状を有する。
【００４２】
広角端から望遠端へのズーミングに際して、第１レンズ群Ｌ１は像側へ移動し、第２レンズ群Ｌ２、第３レンズ群Ｌ３、および第４レンズ群Ｌ４は物体側へ移動する。また、広角端から望遠端へのズーミングに際して、第１レンズ群Ｌ１と第２レンズ群Ｌ２の間隔は狭まり、第２レンズ群Ｌ２と第３レンズ群Ｌ３の間隔は広がり、第３レンズ群Ｌ３と第４レンズ群Ｌ４の間隔は狭まる。
【００４３】
［実施例３］
図５（ａ）と図５（ｂ）は、それぞれ、実施例３のズームレンズの広角端と望遠端における断面図である。図６（ａ）と図６（ｂ）は、それぞれ、実施例３のズームレンズの広角端と望遠端における収差図である。
【００４４】
実施例３のズームレンズは、物体側から像側へ順に配置された、負の屈折力の第１レンズ群Ｌ１、正の屈折力の第２レンズ群Ｌ２、負の屈折力の第３レンズ群Ｌ３、負の屈折力の第４レンズ群Ｌ４、正の屈折力の第５レンズ群Ｌ５からなる。
【００４５】
第２レンズ群Ｌ２は、絞りＳＰおよび可変絞りＳＳＰを含む。第３レンズ群Ｌ３は、正レンズと、該正レンズの像側に配置された負レンズとの接合レンズからなる。第３レンズ群Ｌ３は、無限遠から至近距離へのフォーカシングに際して像側へ移動するフォーカスレンズ群である。第４レンズ群Ｌ４は、最も物体側に配置された、物体側に凹面を向け且つ像側に凹面を向けた負レンズＮＬを有する。負レンズＮＬは、中心から周辺にかけて負の屈折力が強くなるような非球面形状を有する。
【００４６】
広角端から望遠端へのズーミングに際して、第１レンズ群Ｌ１は像側へ移動し、第２レンズ群Ｌ２、第３レンズ群Ｌ３、第４レンズ群Ｌ４、および第５レンズ群Ｌ５は物体側へ移動する。また、広角端から望遠端へのズーミングに際して、第１レンズ群Ｌ１と第２レンズ群ｌ２の間隔は狭まり、第２レンズ群Ｌ２と第３レンズ群Ｌ３の間隔は広がり、第３レンズ群Ｌ３と第４レンズ群Ｌ４の間隔は狭まり、第４レンズ群Ｌ４と第５レンズ群Ｌ５の間隔は広がる。
【００４７】
［実施例４］
図７（ａ）と図７（ｂ）は、それぞれ、実施例４のズームレンズの広角端と望遠端における断面図である。図８（ａ）と図８（ｂ）は、それぞれ、実施例４のズームレンズの広角端と望遠端における収差図である。
【００４８】
実施例４のズームレンズは、物体側から像側へ順に配置された、負の屈折力の第１レンズ群Ｌ１、正の屈折力の第２レンズ群Ｌ２、負の屈折力の第３レンズ群Ｌ３、負の屈折力の第４レンズ群Ｌ４からなる。
【００４９】
第２レンズ群Ｌ２は、絞りＳＰおよび可変絞りＳＳＰを含む。第３レンズ群Ｌ３は、無限遠から至近距離へのフォーカシングに際して像側へ移動するフォーカスレンズ群である。第３レンズ群Ｌ３は、正レンズと、該正レンズの像側に配置された負レンズとの接合レンズからなる。第４レンズ群Ｌ４は、最も物体側に配置された、物体側に凹面を向け且つ像側に凸面を向けた負レンズＮＬを有する。負レンズＮＬは、中心から周辺にかけて負の屈折力が強くなるような非球面形状を有する。
【００５０】
広角端から望遠端へのズーミングに際して、第１レンズ群Ｌ１は像側へ移動した後に物体側へ移動し、第２レンズ群Ｌ２、第３レンズ群Ｌ３、および第４レンズ群Ｌ４は物体側へ移動する。また、広角端から望遠端へのズーミングに際して、第１レンズ群Ｌ１と第２レンズ群Ｌ２の間隔は狭まり、第２レンズ群Ｌ２と第３レンズ群Ｌ３の間隔は広がり、第３レンズ群Ｌ３と第４レンズ群Ｌ４の間隔は狭まる。
【００５１】
［実施例５］
図９（ａ）と図９（ｂ）は、それぞれ、実施例５のズームレンズの広角端と望遠端における断面図である。図１０（ａ）と図１０（ｂ）は、それぞれ、実施例５のズームレンズの広角端と望遠端における収差図である。
【００５２】
実施例５のズームレンズは、物体側から像側へ順に配置された、負の屈折力の第１レンズ群Ｌ１、正の屈折力の第２レンズ群Ｌ２、負の屈折力の第３レンズ群Ｌ３、負の屈折力の第４レンズ群Ｌ４、正の屈折力の第５レンズ群Ｌ５、正の屈折力の第６レンズ群Ｌ６からなる。
【００５３】
第２レンズ群Ｌ２は、絞りＳＰおよび可変絞りＳＳＰを含む。第３レンズ群Ｌ３は、無限遠から至近距離へのフォーカシングに際して像側へ移動するフォーカスレンズ群である。第３レンズ群Ｌ３は、正レンズと、該正レンズの像側に配置された負レンズとの接合レンズからなる。第４レンズ群Ｌ４は、最も物体側に配置された、物体側に凹面を向け且つ像側に凹面を向けた負レンズＮＬを有する。負レンズＮＬは、中心から周辺にかけて負の屈折力が強くなるような非球面形状を有する。
【００５４】
広角端から望遠端へのズーミングに際して、第１レンズ群Ｌ１は像側へ移動し、第２レンズ群Ｌ２、第３レンズ群Ｌ３、第４レンズ群Ｌ４、および第５レンズ群Ｌ５は物体側へ移動する。ズーミングに際して、第６レンズ群Ｌ６は不動である。また、広角端から望遠端へのズーミングに際して、第１レンズ群Ｌ１と第２レンズ群Ｌ２の間隔は狭まり、第２レンズ群Ｌ２と第３レンズ群Ｌ３の間隔は広がり、第３レンズ群Ｌ３と第４レンズＬ４群の間隔は狭まり、第４レンズ群Ｌ４と第５レンズ群Ｌ５の間隔は広がり、第５レンズ群Ｌ５と第６レンズ群Ｌ６の間隔は広がる。
【００５５】
［実施例６］
図１１（ａ）と図１１（ｂ）は、それぞれ、実施例６のズームレンズの広角端と望遠端における断面図である。図１２（ａ）と図１２（ｂ）は、それぞれ、実施例６のズームレンズの広角端と望遠端における収差図である。
【００５６】
実施例６のズームレンズは、物体側から像側へ順に配置された、負の屈折力の第１レンズ群Ｌ１、正の屈折力の第２レンズ群Ｌ２、負の屈折力の第３レンズ群Ｌ３、負の屈折力の第４レンズ群Ｌ４からなる。
【００５７】
第２レンズ群Ｌ２は、絞りＳＰおよび可変絞りＳＳＰを含む。第３レンズ群Ｌ３と第４レンズ群Ｌ４は、無限遠から至近距離へのフォーカシングに際して、互いに異なる軌跡で像側へ移動するフォーカスレンズ群である。第３レンズ群Ｌ３の移動により合焦し、第４レンズ群の移動により像面湾曲の変化を補償する。
【００５８】
第３レンズ群Ｌ３は、正レンズと、該正レンズの像側に配置された負レンズとの接合レンズからなる。第４レンズ群Ｌ４は、最も物体側に配置された、物体側に凹面を向け且つ像側に凸面を向けた負レンズＮＬを有する。負レンズＮＬは、中心から周辺にかけて負の屈折力が強くなるような非球面形状を有する。
【００５９】
広角端から望遠端へのズーミングに際して、第１レンズ群Ｌ１は像側へ移動し、第２レンズ群Ｌ２、第３レンズ群Ｌ３、および第４レンズ群Ｌ４は物体側へ移動する。また、広角端から望遠端へのズーミングに際して、第１レンズ群Ｌ１と第２レンズ群Ｌ２の間隔は狭まり、第２レンズ群Ｌ２と第３レンズ群Ｌ３の間隔は広がり、第３レンズ群Ｌ３と第４レンズ群Ｌ４の間隔は狭まる。
【００６０】
以上、本発明の好ましい実施例について説明したが、本発明のズームレンズはこれらの実施例に限定されず、その要旨の範囲内で種々の変形および変更が可能である。例えば、ズームレンズのあるレンズ群の全部又は一部を防振レンズ群とし、防振目的で光軸に垂直な方向成分を有する方向に移動させてもよい。例えば、第２レンズ群の全部又は一部を防振レンズ群としてもよい。
【００６１】
本発明のズームレンズが、回折光学素子や反射光学部材を含んでいてもよい。
【００６２】
［数値実施例］
以下に、実施例１〜６のそれぞれに対応する数値実施例１〜６を示す。数値実施例１〜６に関して、条件式（１）〜（６）に対応する数値を表１に示す。また、数値実施例１〜６において、ｉは物体側からの光学面の順序を示す。ｒは光学面の曲率半径、ｄは光学面の間隔、ｎｄとνｄはそれぞれｄ線に対する光学部材の材料の屈折率、アッベ数を示す。フラウンホーファー線のｇ線（波長４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとする。そして、アッベ数νｄを、
νｄ＝（Ｎｄ−１）／（ＮＦ−ＮＣ）
として表す。ＢＦはバックフォーカスを示す。
【００６３】
非球面は各数値実施例中の面番号の右側に＊印を付している。非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０、Ａ１２、Ａ１４、Ａ１６をそれぞれ非球面係数としたとき、
【００６４】
【数１】
2019066654.tif 000003
【００６５】
で表している。非球面係数の「ｅ−ｘ」は１０−ｘを意味する。
【００６６】
また、前述の各条件式と実施例１〜６の関係をそれぞれ［表１］に示す。
【００６７】
［数値実施例１］
面データ
面番号       r        d      nd         vd
1*       443.075    2.40   1.76450    49.1
2*        19.075    8.91
3        213.097    1.90   1.88300    40.8
4*        58.580    3.00 
5       -309.039    1.50   1.59522    67.7
6         27.634    4.71   1.85478    24.8
7        229.654  (可変)
8(絞り)    ∞       1.50
9         32.245    0.80   2.00069    25.5
10         15.508    5.62   1.80100    35.0
11        -33.684    1.94
12        -24.367    0.80   2.00100    29.1
13         16.760    5.09   1.80810    22.8
14       -190.175    0.15
15         31.476    8.00   1.53775    74.7
16        -30.820    2.11
17          ∞       1.00
18         24.403    0.90   2.00069    25.5
19         15.500    8.12   1.49700    81.5
20        -34.361  (可変)
21       -128.102    4.55   1.95906    17.5
22        -18.863    0.90   1.85478    24.8
23        131.391  (可変)
24        -18.030    1.10   1.85400    40.4
25*       -96.237    2.47
26         46.162    7.92   1.51633    64.1
27        -71.414  (可変)
像面        ∞
非球面データ
第1面
K = 0.00000e+000  A 4= 7.47034e-005  A 6=-5.04678e-007  A 8= 2.47036e-009  A10=-7.40076e-012  A12= 1.31232e-014  A14=-1.28205e-017  A16= 5.38775e-021
第2面
K = 3.20613e-001  A 4= 5.78546e-005  A 6=-3.10160e-007  A 8=-1.05900e-009  A10= 2.00844e-011  A12=-6.89000e-014  A14= 4.01049e-017
第4面
K = 0.00000e+000  A 4= 1.43656e-005  A 6=-5.64042e-008  A 8= 7.58587e-010  A10=-7.88670e-012  A12= 4.07898e-014  A14=-6.60212e-017
第25面
K = 0.00000e+000  A 4= 3.65124e-005  A 6=-6.61865e-008  A 8= 1.11825e-009  A10=-7.36819e-012  A12= 1.65712e-014
各種データ
ズーム比      2.20
広角     中間     望遠
焦点距離      15.45    24.00    34.00
Ｆナンバー     4.12     4.12     4.12
半画角        54.47    42.03    32.47
像高          21.64    21.64    21.64
レンズ全長   125.38   119.21   116.89
BF            12.00    19.66    24.40
d 7           27.80    11.92     1.50
d20            1.00     1.89     5.83
d23            9.20    10.35     9.78
d27           12.00    19.66    24.40
レンズ群データ
群  始面    焦点距離  レンズ構成長  前側主点位置  後側主点位置
1    1     -20.95        22.42         2.80        -14.45
2    8      23.98        36.04        17.89        -12.25
3   21    -117.83         5.45         0.63         -2.16
4   24     -60.24        11.48        -5.88        -15.46
単レンズデータ
レンズ  始面  焦点距離
1       1    -26.14
2       3    -92.02
3       5    -42.55
4       6     36.36
5       9    -30.59
6      10     13.97
7      12     -9.82
8      13     19.27
9      15     30.32
10      18    -44.71
11      19     22.72
12      21     22.60
13      22    -19.24
14      24    -26.15
15      26     55.58
【００６８】
［数値実施例２］
面データ
面番号       r        d      nd         vd
1*       247.015    2.40   1.58313    59.4
2*        13.050   13.07
3*     -6276.827    1.60   1.85400    40.4
4*        27.567    0.15
5         30.635    5.97   1.85025    30.1
6       -122.609  (可変)
7(絞り)    ∞       1.00
8         26.596    0.80   2.00069    25.5
9         15.122    5.41   1.57099    50.8
10        -23.330    1.86
11        -19.051    0.80   1.81600    46.6
12         18.177    5.02   1.69895    30.1
13        -37.957    0.15
14         27.397    8.01   1.49700    81.5
15        -36.437    0.50
16          ∞       2.52
17         42.574    0.90   2.00069    25.5
18         16.711    7.29   1.49700    81.5
19        -26.555  (可変)
20       -222.963    4.21   1.95906    17.5
21        -19.664    0.90   1.85478    24.8
22         81.900  (可変)
23*       -14.343    1.40   1.85400    40.4
24*       -36.105    1.98
25         45.074    6.05   1.59522    67.7
26       -374.024  (可変)
像面        ∞
非球面データ
第1面
K = 0.00000e+000  A 4= 3.09710e-005  A 6=-1.18306e-007  A 8= 2.22994e-010  A10=-2.29635e-013  A12= 1.08049e-016
第2面
K =-3.49339e-001  A 4= 2.71331e-005  A 6=-9.25199e-009  A 8= 3.95060e-010  A10=-2.47967e-012  A12=-1.44412e-014
第3面
K = 0.00000e+000  A 4=-6.67663e-005  A 6= 8.24005e-007  A 8=-5.80766e-009  A10= 1.78105e-011  A12=-1.96528e-014
第4面
K = 0.00000e+000  A 4=-7.15502e-005  A 6= 8.47009e-007  A 8=-6.89293e-009  A10= 2.63995e-011  A12=-3.62274e-014
第23面
K = 0.00000e+000  A 4= 1.56019e-004  A 6=-7.83135e-007  A 8= 2.50495e-009
第24面
K = 0.00000e+000  A 4= 1.58125e-004  A 6=-1.01327e-006  A 8= 5.44478e-009  A10=-1.87942e-011  A12= 3.00531e-014
各種データ
ズーム比      2.06
広角     中間     望遠
焦点距離      16.48    24.00    34.00
Ｆナンバー     4.12     4.12     4.12
半画角        52.70    42.03    32.47
像高          21.64    21.64    21.64
レンズ全長   127.27   116.39   111.30
BF            10.95    16.82    23.58
d 6           32.68    14.85     1.98
d19            1.00     1.45     3.97
d22           10.67    11.31     9.80
d26           10.95    16.82    23.58
レンズ群データ
群  始面    焦点距離  レンズ構成長  前側主点位置  後側主点位置
1    1     -28.60        23.18        -0.69        -21.43
2    7      25.14        34.25        16.53        -11.75
3   20    -105.52         5.11         1.69         -0.92
4   23     -54.88         9.42        -3.48        -10.43
単レンズデータ
レンズ  始面  焦点距離
1       1    -23.72
2       3    -32.14
3       5     29.35
4       8    -36.29
5       9     16.93
6      11    -11.29
7      12     18.26
8      14     32.83
9      17    -27.98
10      18     21.86
11      20     22.26
12      21    -18.48
13      23    -28.72
14      25     67.95
【００６９】
［数値実施例３］
面データ
面番号       r        d      nd         vd
1*         ∞       2.60   1.58313    59.4
2*        14.780   16.89
3*       -97.231    2.20   1.85400    40.4
4*        51.561    0.15
5         41.160    7.43   1.85025    30.1
6       -120.385  (可変)
7*        36.166    2.80   1.90366    31.3
8         80.180    2.44
9(絞り)    ∞       1.50
10         44.417    1.20   2.00100    29.1
11         23.126    7.18   1.58144    40.8
12        -56.396    1.00
13       -172.570    1.10   1.90366    31.3
14         20.049    7.15   1.62588    35.7
15       -144.852    0.50
16          ∞       0.50
17         20.888    1.20   2.00069    25.5
18         15.743    9.60   1.53775    74.7
19        -35.984  (可変)
20       -181.965    5.19   1.92286    18.9
21        -16.735    1.10   1.85478    24.8
22         49.274  (可変)
23*      -910.168    1.40   1.85400    40.4
24*        49.564  (可変)
25         67.715    5.32   1.59522    67.7
26        -91.484  (可変)
像面        ∞
非球面データ
第1面
K = 0.00000e+000  A 4= 5.59540e-006  A 6=-7.47862e-009  A 8= 6.45924e-012  A10= 4.98794e-017  A12=-4.60087e-018  A14= 2.61073e-021
第2面
K =-9.91179e-001  A 4= 7.84626e-006  A 6= 2.78798e-008  A 8=-3.97631e-011  A10=-2.66363e-013  A12= 2.01313e-015  A14=-4.48748e-018
第3面
K = 0.00000e+000  A 4=-3.18404e-005  A 6= 1.99834e-007  A 8=-7.67005e-010  A10= 1.36846e-012  A12=-8.85293e-016  A14=-4.82404e-020
第4面
K = 0.00000e+000  A 4=-2.65798e-005  A 6= 2.31313e-007  A 8=-1.04271e-009  A10= 2.65040e-012  A12=-3.32254e-015  A14= 1.81391e-018
第7面
K = 0.00000e+000  A 4=-4.57237e-006  A 6= 4.70972e-009  A 8=-7.59429e-011  A10= 3.10858e-013  A12=-5.87762e-016
第23面
K = 0.00000e+000  A 4=-2.28188e-004  A 6= 1.15319e-006  A 8=-4.31694e-009  A10= 5.16688e-012
第24面
K = 0.00000e+000  A 4=-1.97807e-004  A 6= 1.42978e-006  A 8=-6.32435e-009  A10= 1.83189e-011  A12=-2.48009e-014
各種データ
ズーム比      2.20
広角     中間     望遠
焦点距離      15.45    24.00    34.00
Ｆナンバー     2.91     2.91     2.91
半画角        54.47    42.03    32.47
像高          21.64    21.64    21.64
レンズ全長   145.57   128.97   124.36
BF            13.00    18.88    27.25
d 6           41.03    15.48     0.78
d19            1.00     2.63     4.43
d22           11.29     9.66     7.85
d24            0.80     3.86     5.59
d26           13.00    18.88    27.25
レンズ群データ
群  始面    焦点距離  レンズ構成長  前側主点位置  後側主点位置
1    1     -30.20        29.27        -1.13        -28.11
2    7      27.66        36.17        17.15        -14.25
3   20     -53.93         6.29         2.48         -0.77
4   23     -55.00         1.40         0.72         -0.04
5   25      66.20         5.32         1.44         -1.94
単レンズデータ
レンズ  始面  焦点距離
1       1    -25.35
2       3    -39.19
3       5     36.85
4       7     70.77
5      10    -49.60
6      11     29.18
7      13    -19.82
8      14     28.62
9      17    -72.31
10      18     21.78
11      20     19.67
12      21    -14.50
13      23    -55.00
14      25     66.20
【００７０】
［数値実施例４］
面データ
面番号       r        d      nd         vd
1*       143.340    2.40   1.58313    59.4
2*        11.994   12.00
3*      -124.735    1.60   1.85400    40.4
4*        39.214    0.15
5         25.213    4.46   1.85478    24.8
6        178.652  (可変)
7(絞り)    ∞       1.00
8         26.889    0.80   2.00100    29.1
9         14.354    5.05   1.68893    31.1
10        -51.305    1.96
11        -35.445    0.80   1.95375    32.3
12         17.480    5.13   1.64769    33.8
13        -48.014    0.15
14         28.487    6.86   1.49700    81.5
15        -44.330    0.50
16          ∞       1.00
17         28.013    0.90   2.00069    25.5
18         16.714    9.07   1.49700    81.5
19        -25.294  (可変) 
20       -133.728    5.51   1.95906    17.5
21        -16.217    0.90   1.85478    24.8
22         77.056  (可変)
23*       -18.950    1.40   1.85400    40.4
24*       -70.869    3.27 
25         44.895    5.45   1.61700    62.8
26        485.511  (可変)
像面        ∞
非球面データ
第1面
K = 0.00000e+000  A 4= 3.58873e-005  A 6=-1.23495e-007  A 8= 2.24426e-010  A10=-2.26306e-013  A12= 1.16852e-016
第2面
K =-5.82737e-001  A 4= 3.41563e-005  A 6= 1.71808e-007  A 8=-8.64499e-010  A10= 6.66511e-012  A12=-4.24157e-014
第3面
K = 0.00000e+000  A 4=-2.40460e-005  A 6= 4.91830e-007  A 8=-4.67545e-009  A10= 1.73591e-011  A12=-2.26114e-014
第4面
K = 0.00000e+000  A 4=-9.73262e-006  A 6= 4.69843e-007  A 8=-5.25301e-009  A10= 2.45506e-011  A12=-3.40969e-014
第23面
K = 0.00000e+000  A 4=-3.48655e-005  A 6= 3.83694e-007  A 8=-2.51596e-009
第24面
K = 0.00000e+000  A 4= 3.74319e-006  A 6= 3.92193e-007  A 8=-2.27991e-009  A10= 4.62071e-012  A12=-1.31306e-015
各種データ
ズーム比      2.06
広角     中間     望遠
焦点距離      16.48    24.00    34.00
Ｆナンバー     4.12     4.12     4.12
半画角        52.70    42.03    32.47
像高          21.64    21.64    21.64
レンズ全長   121.42   114.74   116.30
BF            12.00    19.01    28.83
d 6           27.27    13.10     4.39
d19            1.00     2.48     3.49
d22           10.81     9.80     9.23
d26           12.00    19.01    28.83
レンズ群データ
群  始面    焦点距離  レンズ構成長  前側主点位置  後側主点位置
1    1     -23.16        20.61         1.48        -15.52
2    7      23.09        33.22        17.22         -9.83
3   20     -83.81         6.41         1.54         -1.71
4   23     -54.19        10.12        -2.98        -10.71
単レンズデータ
レンズ  始面  焦点距離
1       1    -22.60
2       3    -34.78
3       5     33.89
4       8    -31.78
5       9     16.81
6      11    -12.18
7      12     20.41
8      14     36.02
9      17    -43.13
10      18     21.81
11      20     18.81
12      21    -15.60
13      23    -30.67
14      25     79.80
【００７１】
［数値実施例５］
単位 mm
面データ
面番号       r        d      nd         vd       有効径
1*         ∞       2.60   1.69350    53.2       57.27
2*        18.329   12.12                         42.02
3*         ∞       2.20   1.85400    40.4       40.00
4*       280.051    3.00                         35.66
5        -78.143    1.40   1.61800    63.3       35.58
6         78.202    0.15                         35.21
7         42.294    5.57   1.85478    24.8       35.57
8        451.582  (可変)                         34.92
9*        68.407    3.01   1.80400    46.6       22.37
10       -140.601    8.97                         22.58
11(絞り)    ∞       1.20                         23.49
12        131.635    1.20   2.00100    29.1       23.66
13         26.824    5.85   1.80518    25.4       23.52
14       -117.449    1.00                         23.67
15       -320.954    1.10   2.00069    25.5       23.59
16         27.085    6.17   1.51905    54.6       23.63
17        -50.121    0.50                         24.29
18          ∞       2.63                         24.80
19         26.036    1.20   2.00100    29.1       26.32
20         18.097    9.41   1.65160    58.5       25.11
21        -45.022  (可変)                         24.67
22        225.603    4.67   1.95906    17.5       21.81
23        -25.972    1.00   1.85478    24.8       21.61
24         30.023  (可変)                         20.79
25*      -229.622    1.40   1.85400    40.4       24.03
26         66.941  (可変)                         26.10
27         48.941    4.94   1.59522    67.7       33.66
28        731.974  (可変)                         34.54
29       -636.057    4.57   1.69680    55.5       39.26
30        -70.822   11.00                         40.01
像面        ∞
非球面データ
第1面
K = 0.00000e+000  A 4= 6.87072e-006  A 6=-1.53892e-008  A 8= 3.02887e-011  A10=-2.50051e-014  A12= 7.56634e-018
第2面
K =-2.78028e+000  A 4= 3.07724e-005  A 6=-8.97150e-008  A 8= 8.71627e-011  A10=-7.10698e-014
第3面
K = 0.00000e+000  A 4=-5.74635e-005  A 6= 9.59268e-008  A 8= 2.36672e-010  A10=-8.05912e-013  A12= 6.16498e-016
第4面
K = 0.00000e+000  A 4=-4.50428e-005  A 6= 1.55564e-007  A 8=-8.76130e-012  A10=-1.15575e-013  A12= 1.92346e-016
第9面
K = 0.00000e+000  A 4=-4.99220e-006  A 6= 4.65954e-009  A 8=-1.91748e-011
第25面
K = 0.00000e+000  A 4=-2.71326e-005  A 6=-7.49757e-009  A 8=-4.82275e-010
各種データ
ズーム比      2.20 
広角     中間     望遠
焦点距離      15.45    23.29    33.95
Ｆナンバー     2.92     2.92     2.92
半画角        54.47    42.89    32.51
像高          21.64    21.64    21.64
レンズ全長   152.24   136.06   133.89
BF            11.00    11.00    11.00
d 8           39.15    14.97     0.78
d21            1.00     5.25     8.38
d24           12.17     7.92     4.78
d26            1.50     5.82     6.86
d28            1.56     5.25    16.22
レンズ群データ
群  始面    焦点距離  レンズ構成長  前側主点位置  後側主点位置
1    1     -26.42        27.05         1.29        -20.94
2    9      29.72        42.24        26.07        -16.65
3   22     -50.43         5.67         3.70          0.73
4   25     -60.56         1.40         0.58         -0.17
5   27      87.88         4.94        -0.22         -3.31
6   29     114.00         4.57         3.02          0.34
単レンズデータ
レンズ  始面  焦点距離
1       1    -26.43
2       3   -327.06
3       5    -63.03
4       7     54.25
5       9     57.61
6      12    -33.85
7      13     27.62
8      15    -24.92
9      16     34.83
10      19    -64.14
11      20     21.05
12      22     24.51
13      23    -16.16
14      25    -60.56
15      27     87.88
16      29    114.00
【００７２】
［数値実施例６］
単位 mm
面データ
面番号       r        d      nd         vd       有効径
1*      19994.471    2.40   1.76450    49.1       45.63
2*        20.266    8.04                         32.13
3         80.884    1.90   1.88300    40.8       31.95
4*        34.611    3.00                         28.57
5         94.878    1.50   1.59522    67.7       28.33
6         21.816    5.50   1.85478    24.8       26.27
7         78.445  (可変)                         25.09
8(絞り)    ∞       1.50                         14.37
9         29.888    0.80   2.00069    25.5       15.41
10         13.906    5.81   1.79682    32.7       15.27
11        -31.465    1.94                         15.46
12        -21.965    0.80   2.00100    29.1       15.02
13         16.986    4.81   1.80810    22.8       15.95
14      -1178.944    0.15                         17.01
15         33.664    6.93   1.53775    74.7       18.05
16        -24.820    2.42                         19.90
17          ∞       1.00                         21.37
18         22.904    0.90   2.00069    25.5       22.68
19         14.976    8.88   1.49700    81.5       21.66
20        -34.875  (可変)                         21.98
21       -283.637    5.00   1.95906    17.5       21.62
22        -18.411    0.90   1.85478    24.8       21.56
23         85.683  (可変)                         20.96
24        -18.235    1.10   1.85400    40.4       20.92
25*       -95.271    4.05                         23.55
26         49.527    7.06   1.59522    67.7       35.86
27       -111.896  (可変)                         36.78
像面        ∞
非球面データ
第1面
K = 0.00000e+000  A 4= 8.28189e-005  A 6=-5.68498e-007  A 8= 2.66614e-009  A10=-7.68410e-012  A12= 1.31490e-014  A14=-1.23709e-017  A16= 4.96477e-021
第2面
K = 3.74402e-001  A 4= 6.29521e-005  A 6=-2.43558e-007  A 8=-2.44403e-009  A10= 2.92659e-011  A12=-1.03941e-013  A14= 1.08083e-016
第4面
K = 0.00000e+000  A 4= 1.50294e-005  A 6=-1.52662e-007  A 8= 2.29319e-009  A10=-1.99314e-011  A12= 8.51505e-014  A14=-1.29267e-016
第25面
K = 0.00000e+000  A 4= 3.92199e-005  A 6=-1.14262e-007  A 8= 1.64076e-009  A10=-1.05360e-011  A12= 2.34446e-014
各種データ
ズーム比      2.20 
広角     中間     望遠
焦点距離      15.45    23.25    34.00
Ｆナンバー     4.12     4.12     4.12
半画角        54.47    42.94    32.47
像高          21.64    21.64    21.64
レンズ全長   125.79   119.96   117.30
BF            12.00    19.22    24.17
d 7           28.35    13.49     2.01
d20            1.00     1.44     5.30
d23            8.04     9.42     9.43
d27           12.00    19.22    24.17
レンズ群データ
群  始面    焦点距離  レンズ構成長  前側主点位置  後側主点位置
1    1     -21.14        22.34         3.03        -13.34
2    8      23.98        35.94        18.13        -12.11
3   21    -129.54         5.90         2.04         -0.97
4   24     -60.21        12.21        -6.47        -17.09
単レンズデータ
レンズ  始面  焦点距離
1       1    -26.54
2       3    -69.86
3       5    -47.96
4       6     33.84
5       9    -26.66
6      10     12.83
7      12     -9.47
8      13     20.76
9      15     27.72
10      18    -45.84
11      19     22.41
12      21     20.34
13      22    -17.66
14      24    -26.58
15      26     58.64
【００７３】
【表１】
2019066654.tif 000004
【００７４】
［撮像装置の実施例］
次に、本発明の光学系を撮像光学系として用いた撮像装置の実施例について図１３を用いて説明する。撮像装置１００は、例えば、デジタルスチルカメラ、ビデオカメラ、監視カメラ、放送用カメラ等の撮像素子を用いた撮像装置、または銀塩写真フィルムを用いたカメラ等の撮像装置である。
【００７５】
図１３において、カメラ本体２０は、実施例１〜６で説明したいずれかの光学系である撮影光学系２１と、カメラ本体２０に内蔵され且つ撮影光学系２１によって形成された被写体像を受光する固体撮像素子（光電変換素子）２２とを有する。固体撮像素子２２は、例えばＣＣＤセンサやＣＭＯＳセンサ等である。メモリ２３は撮像素子２２が受光した被写体像を記録する記録手段である。ファインダー２４は、撮像素子２２上に形成された被写体像であって、表示素子（不図示）に表示された被写体像を観察するためのファインダーである。
【００７６】
このように本発明の光学系をデジタルスチルカメラ等の撮像装置に適用することにより、小型で、無限遠から至近距離まで高い光学性能を有する撮像装置を得ることができる。
【符号の説明】
【００７７】
Ｌ１  第１レンズ群
Ｌ２  第２レンズ群
Ｌ３  第３レンズ群
Ｌ４  第４レンズ群
【図１】
2019066654.tif 000005
【図２】
2019066654.tif 000006
【図３】
2019066654.tif 000007
【図４】
2019066654.tif 000008
【図５】
2019066654.tif 000009
【図６】
2019066654.tif 000010
【図７】
2019066654.tif 000011
【図８】
2019066654.tif 000012
【図９】
2019066654.tif 000013
【図１０】
2019066654.tif 000014
【図１１】
2019066654.tif 000015
【図１２】
2019066654.tif 000016
【図１３】
2019066654.tif 000017